(57)【要約】【課題】着脱トルクを大きくしても、このトルクを生じさせる突部が摩耗し難いレンズ鏡筒とレンズ鏡筒用アクセサリとの取付構造、レンズ鏡筒、及びレンズ鏡筒用アクセサリを提供することを課題とする。【解決手段】本発明は、レンズフード１０の接続部内周面１６で周方向に延びる係合爪１８と、レンズ鏡筒３０の接続端部外周面３６で周方向に延びる係合溝３８と、前記外周面３６で光軸Ｃ方向に延びる鏡筒側突部４５と、前記内周面１６で光軸Ｃ方向に延び、レンズフード１０を取り付けるときに鏡筒側突部４５を乗り越えることによって着脱トルクを生じさせるアクセサリ側突部２１とを備え、係合溝３８の側面４１が前記外周面３６に設けられた溝形成リブ４０によって構成され、鏡筒側突部４５が少なくとも係合溝３８と溝形成リブ４０とを横断する長さを有し、アクセサリ側突部２１が鏡筒側突部４５と対応する長さである。【選択図】図６
2014048435.tif 000002
【特許請求の範囲】
【請求項１】
レンズ鏡筒にレンズ鏡筒用アクセサリを着脱可能に取り付けるための構造であって、
前記レンズ鏡筒における光軸方向一方側の接続端部がその内側に嵌め込まれる前記レンズ鏡筒用アクセサリの接続部の内周面に設けられ、径方向内側に突出し且つ周方向に延びる係合爪と、
前記レンズ鏡筒の接続端部の外周面に設けられ、径方向内側に凹み且つ周方向に延びると共に、前記係合爪が嵌ることによって当該レンズ鏡筒と前記レンズ鏡筒用アクセサリとを連結する係合溝と、
前記レンズ鏡筒の接続端部の外周面に設けられ、径方向外側に突出し且つ光軸方向に延びる鏡筒側突部と、
前記レンズ鏡筒用アクセサリの接続部の内周面における前記鏡筒側突部と対応する位置に設けられ、径方向内側に突出し且つ光軸方向に延びるアクセサリ側突部であって、前記レンズ鏡筒用アクセサリの接続部内に前記レンズ鏡筒の接続端部が差し込まれた状態でこれらレンズ鏡筒とレンズ鏡筒用アクセサリとが光軸周りに相対回転したときに、前記鏡筒側突部と当接しつつ当該鏡筒側突部を乗り越えることによって着脱トルクを発生させるアクセサリ側突部と、を備え、
前記係合溝における光軸方向物体側の側面は、前記レンズ鏡筒の接続端部の外周面において径方向外側に突出し且つ周方向に延びる溝形成リブの側面によって構成され、
前記鏡筒側突部は、光軸方向において少なくとも前記係合溝と前記溝形成リブとを横断する長さ寸法を有すると共に、前記アクセサリ側突部は、光軸方向において前記鏡筒側突部と対応する長さ寸法を有することを特徴とするレンズ鏡筒とレンズ鏡筒用アクセサリとの取付構造。
【請求項２】
レンズ鏡筒にレンズ鏡筒用アクセサリを着脱可能に取り付けるための構造であって、
前記レンズ鏡筒における光軸方向一方側の接続端部の外周面に設けられ、径方向外側に突出し且つ周方向に延びる係合爪と、
前記レンズ鏡筒の接続端部がその内側に差し込まれる前記レンズ鏡筒用アクセサリの接続部の内周面に設けられ、径方向外側に凹み且つ周方向に延びると共に、前記係合爪が嵌ることによって当該レンズ鏡筒用アクセサリと前記レンズ鏡筒とを連結する係合溝と、
前記レンズ鏡筒の接続端部の外周面に設けられ、径方向外側に突出し且つ光軸方向に延びる鏡筒側突部と、
前記レンズ鏡筒用アクセサリの接続部の内周面における前記鏡筒側突部と対応する位置に設けられ、径方向内側に突出し且つ光軸方向に延びるアクセサリ側突部であって、前記レンズ鏡筒用アクセサリの接続部内に前記レンズ鏡筒の接続端部が差し込まれた状態でこれらレンズ鏡筒とレンズ鏡筒用アクセサリとが光軸周りに相対回転したときに、前記鏡筒側突部と当接しつつ当該鏡筒側突部を乗り越えることによって着脱トルクを発生させるアクセサリ側突部と、を備え、
前記係合溝における光軸方向像側の側面は、前記レンズ鏡筒用アクセサリの接続部の内周面において径方向内側に突出し且つ周方向に延びる溝形成リブの側面によって構成され、
前記アクセサリ側突部は、光軸方向において少なくとも前記係合溝と前記溝形成リブとを横断する長さ寸法を有すると共に、前記鏡筒側突部は、光軸方向において前記アクセサリ側突部と対応する長さ寸法を有することを特徴とするレンズ鏡筒とレンズ鏡筒用アクセサリとの取付構造。
【請求項３】
レンズ鏡筒用アクセサリを着脱できるように取り付け可能なレンズ鏡筒であって、
前記レンズ鏡筒用アクセサリの接続部内に差し込まれる前記レンズ鏡筒の光軸方向一方側の接続端部の外周面において、径方向内側に凹み且つ周方向に延びると共に、前記レンズ鏡筒用アクセサリにおける接続部の内周面において径方向内側に突出し且つ周方向に延びる係合爪が嵌ることによって当該レンズ鏡筒と前記レンズ鏡筒用アクセサリとを連結する係合溝と、
前記レンズ鏡筒用アクセサリの接続部内に当該レンズ鏡筒の接続端部が差し込まれた状態でこれらレンズ鏡筒とレンズ鏡筒用アクセサリとが光軸周りに相対回転したときに、前記レンズ鏡筒用アクセサリの接続部の内周面において径方向内側に突出するアクセサリ側突部が当接しつつ乗り越えることによって着脱トルクが発生する鏡筒側突部と、を備え、
前記係合溝における光軸方向物体側の側面は、前記レンズ鏡筒の物体側端部の外周面において径方向外側に突出し且つ周方向に延びる溝形成リブの側面によって構成され、
前記鏡筒側突部は、前記レンズ鏡筒の接続端部の外周面において径方向外側に突出し且つ光軸方向に延びると共に、光軸方向において少なくとも前記係合溝と前記溝形成リブとを横断する長さ寸法を有することを特徴とするレンズ鏡筒。
【請求項４】
レンズ鏡筒に着脱できるように取り付け可能なレンズ鏡筒用アクセサリであって、
前記レンズ鏡筒における光軸方向一方側の接続端部がその内側に差し込まれる当該レンズ鏡筒用アクセサリの接続部の内周面において径方向内側に突出し且つ周方向に延びると共に、前記レンズ鏡筒の接続端部の外周面において径方向内側に凹み且つ周方向に延びる係合溝に嵌ることによって当該レンズ鏡筒用アクセサリと前記レンズ鏡筒とを連結する係合爪と、
当該レンズ鏡筒用アクセサリの接続部内に前記レンズ鏡筒の接続端部が差し込まれた状態でこれらレンズ鏡筒とレンズ鏡筒用アクセサリとが光軸周りに相対回転したときに、前記レンズ鏡筒の接続端部の外周面において径方向外側に突出する鏡筒側突部と当接した状態で当該鏡筒側突部を乗り越えることによって着脱トルクを発生させるアクセサリ側突部と、を備え、
前記アクセサリ側突部は、前記レンズ鏡筒用アクセサリの接続部の内周面において径方向内側に突出し且つ光軸方向に延びると共に、光軸方向における長さ寸法が、少なくとも、前記レンズ鏡筒における前記係合溝と、前記レンズ鏡筒の接続端部の外周面において係方向に突出し且つ周方向に延びると共にその側面によって前記係合溝の光軸方向物体側の側面を構成する溝形成リブと、を横断する寸法であることを特徴とするレンズ鏡筒用アクセサリ。
【発明の詳細な説明】
【技術分野】
【０００１】
本発明は、レンズ鏡筒の物体側端部にレンズ鏡筒用アクセサリを着脱可能に取り付けるための取付構造に関する。
【背景技術】
【０００２】
従来から、レンズ鏡筒の光軸方向の物体側端部（被写体側端部）にレンズ鏡筒用アクセサリを着脱可能に取り付ける構造として、特許文献１に記載された、いわゆるバヨネット構造が知られている。
【０００３】
このバヨネット構造は、図９（Ａ）〜図１０（Ｂ）に示されるように、レンズ鏡筒１００の物体側端部の外周面１０１に設けられ、径方向に突出し且つ周方向に延びる係合爪１０２と、レンズ鏡筒用アクセサリ（レンズフード）１１０の短筒状の像側端部１１１の内周面１１２に設けられ、径方向外側に凹み且つ周方向に延びる係合溝１１３と、を備える。
【０００４】
この係合溝１１３は、レンズ鏡筒１００の物体側端部がレンズ鏡筒用アクセサリ１１０の像側端部内に差し込まれた状態でこれらレンズ鏡筒１００とレンズ鏡筒用アクセサリ１１０とが光軸周りに相対回転することによって係合爪１０２が係合溝１１３内に嵌り込む。これにより、レンズ鏡筒１００とレンズ鏡筒用アクセサリ１１０とが連結される。
【０００５】
また、係合溝１１３の内部には、径方向内側に向かって突出する突部１１５が設けられている。一方、係合爪１０２の突部１１５と対応する位置には、径方向内側に向かって凹む切欠き部１０３が設けられている。
【０００６】
この切欠き部１０３が形成されたレンズ鏡筒１００の物体側端部を、突部１１５が形成されたレンズ鏡筒用アクセサリ１１０の像側端部内に差し込んだ状態でこれらレンズ鏡筒１００とレンズ鏡筒用アクセサリ１１０とを光軸周りに相対回転させると、突部１１５が係合爪１０２の周縁部（詳しくは切欠き部１０３の形成されていない部位）を乗り越えて切欠き部１０３に嵌り込む。このとき、レンズ鏡筒用アクセサリ１１０が弾性変形することによって着脱トルクが生じる。
【先行技術文献】
【特許文献】
【０００７】
【特許文献１】特開平１１−１６０７５９号公報
【発明の概要】
【発明が解決しようとする課題】
【０００８】
上記のレンズ鏡筒１００とレンズ鏡筒用アクセサリ１１０との取付構造において、レンズ鏡筒１００に対してレンズ鏡筒用アクセサリ１１０を着脱
する際に生じる着脱トルクを大きくするために、係合溝１１３内に設けられた突部１１５の径方向内側への突出量をより大きくすることが考えられる。
【０００９】
しかし、この場合、突部１１５が係合爪１０２の周縁部を乗り越えて切欠き部１０３に入り込むときの当該突部１１５と係合爪１０２との摩擦が大きくなるため、突部１０５や係合爪１０２等の摩耗が激しくなる。
【００１０】
そこで、本発明は、上記問題に鑑み、レンズ鏡筒からレンズ鏡筒用アクセサリを着脱する際に生じる着脱トルクを大きくしても、着脱トルクを生じさせる突部が摩耗し難いレンズ鏡筒とレンズ鏡筒用アクセサリとの取付構造、この取付構造を備えたレンズ鏡筒、及び前記取付構造を備えたレンズ鏡筒用アクセサリを提供することを目的とする。
【課題を解決するための手段】
【００１１】
本発明者は、種々検討した結果、上記目的は、以下の本発明により達成されることを見出した。即ち、本発明の一態様に係るレンズ鏡筒とレンズ鏡筒用アクセサリとの取付構造は、レンズ鏡筒にレンズ鏡筒用アクセサリを着脱可能に取り付けるための構造であって、前記レンズ鏡筒における光軸方向一方側の接続端部がその内側に嵌め込まれる前記レンズ鏡筒用アクセサリの接続部の内周面に設けられ、径方向内側に突出し且つ周方向に延びる係合爪と、前記レンズ鏡筒の接続端部の外周面に設けられ、径方向内側に凹み且つ周方向に延びると共に、前記係合爪が嵌ることによって当該レンズ鏡筒と前記レンズ鏡筒用アクセサリとを連結する係合溝と、前記レンズ鏡筒の接続端部の外周面に設けられ、径方向外側に突出し且つ光軸方向に延びる鏡筒側突部と、前記レンズ鏡筒用アクセサリの接続部の内周面における前記鏡筒側突部と対応する位置に設けられ、径方向内側に突出し且つ光軸方向に延びるアクセサリ側突部であって、前記レンズ鏡筒用アクセサリの接続部内に前記レンズ鏡筒の接続端部が差し込まれた状態でこれらレンズ鏡筒とレンズ鏡筒用アクセサリとが光軸周りに相対回転したときに、前記鏡筒側突部と当接しつつ当該鏡筒側突部を乗り越えることによって着脱トルクを発生させるアクセサリ側突部と、を備える。そして、前記係合溝における光軸方向物体側の側面は、前記レンズ鏡筒の接続端部の外周面において径方向外側に突出し且つ周方向に延びる溝形成リブの側面によって構成され、前記鏡筒側突部は、光軸方向において少なくとも前記係合溝と前記溝形成リブとを横断する長さ寸法を有すると共に、前記アクセサリ側突部は、光軸方向において前記鏡筒側突部と対応する長さ寸法を有することを特徴とする。
【００１２】
また、本発明の他の態様に係るレンズ鏡筒とレンズ鏡筒用アクセサリとの取付構造は、レンズ鏡筒にレンズ鏡筒用アクセサリを着脱可能に取り付けるための構造であって、前記レンズ鏡筒における光軸方向一方側の接続端部の外周面に設けられ、径方向外側に突出し且つ周方向に延びる係合爪と、前記レンズ鏡筒の接続端部がその内側に差し込まれる前記レンズ鏡筒用アクセサリの接続部の内周面に設けられ、径方向外側に凹み且つ周方向に延びると共に、前記係合爪が嵌ることによって当該レンズ鏡筒用アクセサリと前記レンズ鏡筒とを連結する係合溝と、前記レンズ鏡筒の接続端部の外周面に設けられ、径方向外側に突出し且つ光軸方向に延びる鏡筒側突部と、前記レンズ鏡筒用アクセサリの接続部の内周面における前記鏡筒側突部と対応する位置に設けられ、径方向内側に突出し且つ光軸方向に延びるアクセサリ側突部であって、前記レンズ鏡筒用アクセサリの接続部内に前記レンズ鏡筒の接続端部が差し込まれた状態でこれらレンズ鏡筒とレンズ鏡筒用アクセサリとが光軸周りに相対回転したときに、前記鏡筒側突部と当接しつつ当該鏡筒側突部を乗り越えることによって着脱トルクを発生させるアクセサリ側突部と、を備える。そして、前記係合溝における光軸方向像側の側面は、前記レンズ鏡筒用アクセサリの接続部の内周面において径方向内側に突出し且つ周方向に延びる溝形成リブの側面によって構成され、前記アクセサリ側突部は、光軸方向において少なくとも前記係合溝と前記溝形成リブとを横断する長さ寸法を有すると共に、前記鏡筒側突部は、光軸方向において前記アクセサリ側突部と対応する長さ寸法を有することを特徴とする。
【００１３】
これらの構成によれば、着脱トルクを発生させるための鏡筒側突部とアクセサリ側突部との長さ寸法が、光軸方向に係合溝とこれに隣接する溝形成リブとを横断する寸法よりも大きいため、従来のように係合溝内にのみ設けられた突部（着脱トルクを発生させる突部）に比べ、光軸方向における突部同士の接触面積を大きくすることができる。このため、各突部の突出量を増やして着脱トルクを大きくしても当該突部に加わる単位面積当たりの径方向押し付け力が抑えられ、これにより、着脱トルクを生じさせる突部の摩耗を効果的に抑えることができる。
【００１４】
また、本発明の他の態様に係るレンズ鏡筒は、レンズ鏡筒用アクセサリを着脱できるように取り付け可能なレンズ鏡筒であって、前記レンズ鏡筒用アクセサリの接続部内に差し込まれる前記レンズ鏡筒の光軸方向一方側の接続端部の外周面において、径方向内側に凹み且つ周方向に延びると共に、前記レンズ鏡筒用アクセサリにおける接続部の内周面において径方向内側に突出し且つ周方向に延びる係合爪が嵌ることによって当該レンズ鏡筒と前記レンズ鏡筒用アクセサリとを連結する係合溝と、前記レンズ鏡筒用アクセサリの接続部内に当該レンズ鏡筒の接続端部が差し込まれた状態でこれらレンズ鏡筒とレンズ鏡筒用アクセサリとが光軸周りに相対回転したときに、前記レンズ鏡筒用アクセサリの接続部の内周面において径方向内側に突出するアクセサリ側突部が当接しつつ乗り越えることによって着脱トルクが発生する鏡筒側突部と、を備える。そして、前記係合溝における光軸方向物体側の側面は、前記レンズ鏡筒の物体側端部の外周面において径方向外側に突出し且つ周方向に延びる溝形成リブの側面によって構成され、前記鏡筒側突部は、前記レンズ鏡筒の接続端部の外周面において径方向外側に突出し且つ光軸方向に延びると共に、光軸方向において少なくとも前記係合溝と前記溝形成リブとを横断する長さ寸法を有することを特徴とする。
【００１５】
このようなレンズ鏡筒を用いることによって、従来のレンズ鏡筒とレンズ鏡筒用アクセサリとの取付構造のような係合溝内にのみ設けられた突部（着脱トルクを発生させる突部）に比べ、光軸方向における鏡筒側突部の長さ寸法を大きくすることができる。このため、当該レンズ鏡筒と、当該レンズ鏡筒に対応する取付構造を備えたレンズ鏡筒用アクセサリとを用いることで、着脱トルクを大きくするために鏡筒側突部の突出量を増やしてしても、当該突部に加わる単位面積当たりの径方向押し付け力が抑えられ、これにより、鏡筒側突部の摩耗を効果的に抑えることができる。
【００１６】
また、本発明の他の態様に係るレンズ鏡筒用アクセサリは、レンズ鏡筒に着脱できるように取り付け可能なレンズ鏡筒用アクセサリであって、前記レンズ鏡筒における光軸方向一方側の接続端部がその内側に差し込まれる当該レンズ鏡筒用アクセサリの接続部の内周面において径方向内側に突出し且つ周方向に延びると共に、前記レンズ鏡筒の接続端部の外周面において径方向内側に凹み且つ周方向に延びる係合溝に嵌ることによって当該レンズ鏡筒用アクセサリと前記レンズ鏡筒とを連結する係合爪と、当該レンズ鏡筒用アクセサリの接続部内に前記レンズ鏡筒の接続端部が差し込まれた状態でこれらレンズ鏡筒とレンズ鏡筒用アクセサリとが光軸周りに相対回転したときに、前記レンズ鏡筒の接続端部の外周面において径方向外側に突出する鏡筒側突部と当接した状態で当該鏡筒側突部を乗り越えることによって着脱トルクを発生させるアクセサリ側突部と、を備える。そして、前記アクセサリ側突部は、前記レンズ鏡筒用アクセサリの接続部の内周面において径方向内側に突出し且つ光軸方向に延びると共に、光軸方向における長さ寸法が、少なくとも、前記レンズ鏡筒における前記係合溝と、前記レンズ鏡筒の接続端部の外周面において係方向に突出し且つ周方向に延びると共にその側面によって前記係合溝の光軸方向物体側の側面を構成する溝形成リブと、を横断する寸法であることを特徴とする。
【００１７】
このようなレンズ鏡筒用アクセサリを用いることによって、従来のレンズ鏡筒とレンズ鏡筒用アクセサリとの取付構造のような係合溝内にのみ設けられた突部に比べ、光軸方向におけるアクセサリ側突部の長さ寸法を大きくすることができる。このため、当該レンズ鏡筒用アクセサリと、当該レンズ鏡筒用アクセサリに対応する取付構造を備えたレンズ鏡筒とを用いることで、着脱トルクを大きくするためにアクセサリ側突部の突出量を増やしてしても、当該突部に加わる単位面積当たりの径方向押し付け力が抑えられ、これにより、アクセサリ側突部の摩耗を効果的に抑えることができる。
【発明の効果】
【００１８】
以上より、本発明によれば、レンズ鏡筒からレンズ鏡筒用アクセサリを着脱する際の着脱トルクを大きくしても、着脱トルクを生じさせる突部が摩耗し難いレンズ鏡筒とレンズ鏡筒用アクセサリとの取付構造、この取付構造を備えたレンズ鏡筒、及び前記取付構造を備えたレンズ鏡筒用アクセサリを提供することができる。
【図面の簡単な説明】
【００１９】
【図１】本実施形態に係るレンズ鏡筒からレンズフードを取り外した状態の斜視図  である。
【図２】前記レンズフードが正装された前記レンズ鏡筒の縦端面図である。
【図３】前記レンズフードが逆装された前記レンズ鏡筒の縦端面図である。
【図４】前記レンズフードの光軸方向像側から見た図である。
【図５】（Ａ）は、レンズ鏡筒の物体側端部に配置される部材である鏡頭環を光軸方向物体側から見た図であり、（Ｂ）は、前記鏡頭環の側面図である。
【図６】レンズ鏡筒の物体側端部とレンズフードの像側端部との展開図である。
【図７】図２のＶＩＩ−ＶＩＩ位置におけるレンズ鏡筒の断面図であって、（Ａ）は、第１フード側突部が鏡筒側突部を乗り越える前の状態を示す断面図であり、（Ｂ）は、第１フード側突部が鏡筒側突部を乗り越えた後の状態を示す断面図である。
【図８】（Ａ）は、第１フード側突部が鏡筒側起部を乗り越える前の状態を示す部分拡大断面図であり、（Ｂ）は、第１フード側突部が鏡筒側突部を乗り越えている途中の状態を示す部分拡大断面図であり、（Ｃ）は、第１フード側突部が鏡筒側突部を乗り越えた後の状態を示す部分拡大断面図である。
【図９】従来のバヨネット構造におけるレンズ鏡筒を説明するための図であって、（Ａ）は前記レンズ鏡筒の正面図であり、（Ｂ）は前記レンズ鏡筒の側面図である。
【図１０】従来のバヨネット構造におけるレンズフードを示す図であって、（Ａ）は前記レンズフードの背面図であり、（Ｂ）は前記レンズフードの中央縦断面図である。
【発明を実施するための形態】
【００２０】
以下、本発明にかかる実施の一形態を図面に基づいて説明する。なお、各図において同一の符号を付した構成は、同一の構成であることを示し、適宜、その説明を省略する。
【００２１】
図１は、本実施形態に係るレンズ鏡筒からレンズフードを取り外した状態の斜視図であり、図２は、レンズフードが正装されたレンズ鏡筒の縦端面図であり、図３は、レンズフードが逆装されたレンズ鏡筒の縦端面図である。また、図４は、レンズフードの光軸方向像側から見た図であり、図５（Ａ）は、レンズ鏡筒の物体側端部に配置される部材である鏡頭環を光軸方向物体側から見た図であり、図５（Ｂ）は、鏡頭環の側面図である。また、図６は、レンズ鏡筒の物体側端部とレンズフードの像側端部との展開図である。
【００２２】
本実施形態に係るレンズ鏡筒３０へのレンズフード１０の取付構造は、いわゆるバヨネット構造である。以下、レンズフード１０とレンズ鏡筒３０とを順に説明しつつ、このバヨネット構造について具体的に説明する。
【００２３】
レンズフード１０は、レンズ鏡筒用アクセサリの一例であり、レンズ鏡筒３０の光軸方向物体側（以下、単に「物体側」とも称する。）の端部（先端部）３４に着脱可能に装着され、レンズ画角以外からの有害光を遮蔽する部材である。このレンズフード１０は、筒状のフード本体１２と、フード本体１２の光軸方向像側（以下、単に「像側」とも称する。）に設けられ、レンズ鏡筒３０の物体側端部３４と接続される接続部１４と、を備える。
【００２４】
接続部１４は、レンズフード１０の像側端部（基端部）を構成し、レンズ鏡筒３０の物体側端部３４がその内側に差し込まれる（嵌め込まれる）略円筒形状を有する。接続部１４の内周面１６には、複数のバヨネット爪（係合爪）１８、１８、…が設けられている。各バヨネット爪１８は、接続部１４の内周面１６において、径方向内側に突出し且つ周方向に延びている。
【００２５】
本実施形態では、４本のバヨネット爪１８が接続部１４の内周面１６に設けられている。これら４本のバヨネット爪１８のうち、像側の端部に設けられ且つ光軸Ｃを挟んで対向する位置に設けられた２本のバヨネット爪（第１のバヨネット爪）２０、２０は、レンズフード１０を正装（図２参照）するときに用いられ、これら第１のバヨネット爪２０から物体側（先端側）に間隔を空けて設けられ且つ光軸Ｃを挟んで対向する位置に設けられた２本のバヨネット爪（第２のバヨネット爪）２３、２３は、レンズフード１０を逆装（図３参照）するときに用いられる。光軸Ｃ方向における第１のバヨネット爪２０と第２のバヨネット爪２３との間隔は、レンズ鏡筒３０の物体側端部３４の外周面３６に設けられた第１のリブ（溝形成用リブ）４０の幅（光軸Ｃ方向の幅）よりも大きい。
【００２６】
第１のバヨネット爪２０の長さ寸法（周方向の寸法）は、接続部１４の内周面１６の周方向長さの約１／４であり、周方向に隣り合う第１のバヨネット爪２０、２０同士の間隔も前記周方向長さの約１／４である。これら第１のバヨネット爪２０の長さ寸法及び隣り合う第１のバヨネット爪２０、２０の間隔は、レンズ鏡筒３０に設けられた第１のリブ４０の長さ寸法や配置等によって適宜設定される。
【００２７】
また、各第１のバヨネット爪２０の一方の端部（図６に示す例では左側端部）から所定の間隔を空けた位置に第１フード側突部（アクセサリ側突部）２１が設けられている。前記所定の間隔は、レンズ鏡筒３０の第１のリブ４０の端部に設けられた鏡筒側突部４５の周方向の大きさと対応する。即ち、前記所定の間隔は、レンズ鏡筒３０にレンズフード１０が取り付けられた状態で、この第１のバヨネット爪２０の前記一方の端部と第１フード側突部２１との間に鏡筒側突部４５が嵌る大きさである。
【００２８】
第１フード側突部２１は、接続部１４の内周面１６において径方向内側に突出し且つ光軸Ｃ方向に延びる。この第１フード側突部２１の光軸Ｃと直交する断面形状は、径方向内側の端部である頂部に向かって周方向の幅が漸減する形状（略三角形状）である（図８（Ａ）〜図８（Ｃ）参照）。また、第１フード側突部２１の光軸Ｃ方向の長さ寸法は、レンズ鏡筒３０に設けられた鏡筒側突部４５の光軸Ｃ方向の長さと略同じである。この第１フード側突部２１は、レンズ鏡筒３０からレンズフード１０を着脱する際の着脱トルク及びクリック感を生じさせる部位である。具体的には、第１フード側突部２１は、接続部１４をレンズ鏡筒３０側に向けた姿勢となったレンズフード１０の接続部１４内にレンズ鏡筒３０の物体側端部３４を差し込み、これらレンズフード１０とレンズ鏡筒３０とを光軸Ｃ周りに相対回転させたときに、着脱トルクとクリック感とを生じさせる。
【００２９】
尚、着脱トルクとは、レンズフード１０を着脱するためにレンズフード１０の接続部１４内にレンズ鏡筒３０の物体側端部３４が差し込まれた状態でこれらレンズフード１０とレンズ鏡筒３０とを相対回転させているときに、第１フード側突部２１（又は第２フード側突部２３）が鏡筒側突部４５を乗り越える際に増加するトルクである。また、クリック感とは、前記レンズフード１０とレンズ鏡筒３０とを相対回転させているときに、第１フード側突部２１（又は第２フード側突部２３）が鏡筒側突部４５を乗り越える際に、レンズフード１０やレンズ鏡筒３０を回転操作している手に受けるカシャッとした感触である。
【００３０】
本実施形態では、レンズフード１０の接続部１４に対してレンズ鏡筒を１８０°位相がずれた状態で差し込んで相対回転させても、着脱トルクとクリック感とが得られるように、第１フード側突部２１は、２つの第１のバヨネット爪２０、２０に対してそれぞれ設けられている。
【００３１】
また、第１のバヨネット爪２０と光軸Ｃ方向物体側に隣接し、第１のバヨネット爪２０における第１フード側突部２１の設けられた側の端部からレンズ鏡筒３０の第１のリブ４０の長さ寸法と対応する位置にストッパー部２２が設けられている。このストッパー部２２は、接続部１４の内周面１６において径方向内側に突出する部位であり、正装状態においてレンズ鏡筒３０の第１のリブ４０が当該ストッパー部２２に当接することによって当該第１のリブ４０の周方向の移動を規制し、これにより、レンズフード１０とレンズ鏡筒３０との光軸Ｃ周りの相対回転を停止させる。
【００３２】
第２のバヨネット爪２３の長さ寸法（周方向の寸法）は、第１のバヨネット爪２０と同じ（即ち、接続部１４の内周面１６の周方向長さの約１／４）であり、周方向に隣り合う第２のバヨネット爪２３、２３同士の間隔も第１のバヨネット爪２０、２０同士の間隔と同じである。これら第２のバヨネット爪２３の長さ寸法及び隣り合う第２のバヨネット爪２３、２３の間隔も、第１のバヨネット爪２０と同様に、レンズ鏡筒３０に設けられた第１のリブ４０の長さや配置等によって適宜設定される。
【００３３】
また、各第２のバヨネット爪２３の他方の端部（図６に示す例では右側端部）から所定の間隔を空けた位置に第２フード側突部（アクセサリ側突部）２４が設けられている。前記所定の間隔は、第１フード側突部２１と同様に、レンズ鏡筒３０の第１のリブ４０の端部に設けられた鏡筒側突部４５の周方向の大きさと対応する。即ち、前記所定の間隔は、レンズ鏡筒３０にレンズフード１０が取り付けられた状態で、この第２のバヨネット爪２３の前記他方の端部と第２フード側突部２４との間に鏡筒側突部４５が嵌る大きさである。
【００３４】
第２フード側突部２４は、接続部１４の内周面１６において径方向内側に突出し且つ光軸Ｃ方向に延びる。この第２フード側突部２４の光軸Ｃと直交する断面形状は、第１フード側突部２１と同様、径方向内側の端部である頂部に向かって周方向の幅が漸減する形状（略三角形状）である（図８（Ａ）〜図８（Ｃ）参照）。また、第２フード側突部２４の光軸Ｃ方向の長さ寸法は、第１フード側突部２１と同じ、即ち、レンズ鏡筒３０に設けられた鏡筒側突部４５の光軸Ｃ方向の長さと略同じである。この第２フード側突部２４は、レンズ鏡筒３０からレンズフード１０を着脱する際の着脱トルク及びクリック感を生じさせる部位である。具体的には、第２フード側突部２４は、接続部１４をレンズ鏡筒３０と反対側に向けた姿勢となったレンズフード１０の接続部１４内にレンズ鏡筒３０の物体側端部３４を差し込み、これらレンズフード１０とレンズ鏡筒３０とを光軸Ｃ周りに相対回転させたときに、着脱トルクとクリック感とを生じさせる。
【００３５】
本実施形態では、レンズフード１０の接続部１４に対してレンズ鏡筒を１８０°位相がずれた状態で差し込んで相対回転させても、着脱トルクとクリック感とが得られるように、第２フード側突部２４は、２つの第２のバヨネット爪２３、２３に対してそれぞれ設けられている。
【００３６】
また、第２のバヨネット爪２３と光軸Ｃ方向物体側に隣接し、第２のバヨネット爪２３における第２フード側突部２４の設けられた側の端部からレンズ鏡筒３０の第１のリブ４０の長さ寸法と対応する位置にストッパー部２５が設けられている。このストッパー部２５は、接続部１４の内周面１６において径方向内側に突出する部位であり、逆装状態においてレンズ鏡筒３０の第１のリブ４０が当該ストッパー部２５に当接することによって当該第１のリブ４０の周方向の移動を規制し、これにより、レンズフード１０とレンズ鏡筒３０との光軸Ｃ周りの相対回転を停止させる。
【００３７】
次に、レンズ鏡筒３０について説明する。
【００３８】
レンズ鏡筒３０は、１又は複数のレンズ（光学素子）やフォーカス機構等が組み込まれた鏡筒部材３２と、鏡筒部材３２の物体側端部（接続端部）に取り付けられる鏡頭環３４とを備える。この鏡頭環３４は、レンズ鏡筒３０の物体側端部を構成し、レンズ鏡筒３０にレンズフード１０が取り付けられるときに、レンズフード１０の接続部（像側端部）１４内に差し込まれる（嵌め込まれる）。
【００３９】
鏡頭環３４は、レンズ鏡筒３０の光軸Ｃを囲む短筒状の部材であり、その外周面３６にバヨネット溝３８を有する。
【００４０】
バヨネット溝３８は、径方向内側に凹み且つ周方向に延び、バヨネット爪１８（第１のバヨネット爪２０又は第２のバヨネット爪２３）が嵌ることによってレンズフード１０とレンズ鏡筒３０とを連結する。このバヨネット溝３８は、鏡頭環３４の外周面３６において径方向に突出し且つ周方向に延びる２つのリブ４０、４２間に形成される。具体的に、バヨネット溝３８は、物体側端部に設けられる複数（本実施形態の例では２つ）の第１のリブ（溝形成リブ）４０と、第１のリブ４０から光軸方向像側に間隔を空けて設けられる第２のリブ４２との間に形成される。
【００４１】
第１のリブ４０は、鏡頭環３４の外周面３６において、径方向外側に突出し且つ周方向に延びている。これら２つの第１のリブ４０、４０は、外周面３６における光軸Ｃを挟んで対向する位置に設けられている。これら２つの第１のリブ４０、４０の周方向の間隔、詳しくは、第１のリブ４０の隣り合う端部同士の間隔は、バヨネット爪１８（第１のバヨネット爪２０又は第２のバヨネット爪２３）が光軸Ｃ方向に通過できる間隔である（図６参照）。
【００４２】
第２のリブ４２は、鏡頭環３４の外周面３６において、径方向外側に突出し且つ周方向に延びている。この第２のリブ４２は、鏡頭環３４の外周面３６の全周に亘って延びている。この第２のリブ４２の高さ寸法（レンズ鏡筒３０の径方向における外周面３６からの高さ寸法）は、第１のリブ４０よりも大きい。
【００４３】
このような第１のリブ４０と第２のリブ４２との間にバヨネット溝３８が形成される。このため、鏡頭環３４の外周面３６において２つのバヨネット溝３８、３８が形成されている。各バヨネット溝３８の対向する一対の側面（光軸Ｃと略直交する面）は、図６に示されるように、第１のリブ４０の像側側面４１と第２のリブ４２の物体側側面４３とによって構成される。
【００４４】
尚、レンズ鏡筒３０の物体側端部３４において第２のリブ４２が設けられなくてもよい。即ち、バヨネット溝３８を構成する側面４３が形成されていればよく、例えば、光軸Ｃ方向物体側を向いた段差面（物体側側面）を有する段差部等が設けられていてもよい。
【００４５】
２つの第１のリブ４０、４０のうちの一方（図６に示す例では左側）の第１のリブ４０の周方向の端部（レンズ鏡筒３０にレンズフード１０が正装されたときに第１フード側突部２１と対応し、逆装されたときに第２フード側突部２４と対応する側の端部）に、鏡筒側突部４５が設けられている。
【００４６】
鏡筒側突部４５は、鏡頭環３４の外周面３６において径方向外側に突出し且つ光軸Ｃ方向に延びる。本実施形態の鏡筒側突部４５は、光軸Ｃ方向においてバヨネット溝３８と第１のリブ４０とを横断する長さ寸法を有している。この鏡筒側突部４５の光軸Ｃと直交する断面形状は、径方向外側の端部である頂部に向かって周方向の幅が漸減する形状（略三角形状）である（図８（Ａ）〜図８（Ｃ）参照）。本実施形態の鏡筒側突部４５の高さ寸法は、第１のリブ４０の高さ寸法よりも大きく、第２のリブ４２の高さ寸法と同じである。
【００４７】
尚、鏡筒側突部４５は、光軸Ｃ方向においてバヨネット溝３８と第１のリブ４０とを横断する長さ寸法に限定されず、これより大きければよい。即ち、鏡筒側突部４５は、光軸Ｃ方向において少なくともバヨネット溝３８と第１のリブ４０とを横断する長さ寸法を有していればよい。また、本実施形態の鏡筒側突部４５は、一方の第１のリブ４０の端部にのみ設けられているが、各第１のリブ４０の端部それぞれ設けられてもよい。
【００４８】
次に、レンズ鏡筒３０へのレンズフード１０の取り付け方法について、図７（Ａ）〜図８（Ｃ）も参照しつつ説明する。図７は、図２のＶＩＩ−ＶＩＩ位置における断面図であって、図７（Ａ）は、第１フード側突部が鏡筒側突部を乗り越える前の状態を示す断面図であり、図７（Ｂ）は、第１フード側突部が鏡筒側突部を乗り越えた後の状態を示す断面図である。図８（Ａ）は、第１フード側突部が鏡筒側起部を乗り越える前の状態を示す部分拡大断面図であり、図８（Ｂ）は、第１フード側突部が鏡筒側突部を乗り越えている途中の状態を示す部分拡大断面図であり、図８（Ｃ）は、第１フード側突部が鏡筒側突部を乗り越えた後の状態を示す部分拡大断面図である。
【００４９】
先ず、レンズ鏡筒３０にレンズフード１０を正装する場合について説明する。レンズフード１０の接続部１４をレンズ鏡筒３０側に向けた状態で、接続部１４内にレンズ鏡筒３０の物体側端部（鏡頭環）３４を差し込む（図６の矢印Ａ参照）。このとき、各第１のバヨネット爪２０が第１のリブ４０、４０間をそれぞれ通過するように、レンズフード１０とレンズ鏡筒３０とを光軸Ｃ周りに相対回転させて調整する。第１のバヨネット爪２０が第２のリブ４２に当接するまでレンズ鏡筒３０の物体側端部３４が接続部１４内に差し込まれると、その状態から、レンズフード１０とレンズ鏡筒３０とを光軸Ｃ周りに相対回転させる。本実施形態では、図６において、第１のバヨネット爪２０がその左側に位置するバヨネット溝３８内に進入する方向（図６の矢印Ｂ参照）に相対回転させる。
【００５０】
前記相対回転によって、第１のバヨネット爪２０がバヨネット溝３８内を周方向に進むと、図７（Ａ）に示されるように、鏡筒側突部４５と第１フード側突部２１とが接近し、更に、相対回転を続けることによって、図７（Ｂ）に示されるように、第１フード側突部２１が鏡筒側突部４５を乗り越えた状態となる。より詳しくは、以下の通りである。
【００５１】
接続部１４内にレンズ鏡筒３０の物体側端部３４が差し込まれた状態でレンズフード１０とレンズ鏡筒３０とを相対回転させると、図８（Ａ）に示されるように、鏡筒側突部４５と第１フード側突部２１とが接近して当接する。さらに相対回転を続けると、図８（Ｂ）に示されるように、第１フード側突部２１の頂部が鏡筒側突部４５の頂部に乗り上げる。このとき、径方向における第１フード側突部２１と鏡筒側突部４５との重なり量（オーバーラップ量：図８（Ａ）におけるαの大きさ）に起因して円筒形状の接続部１４が弾性変形して歪む。具体的には、接続部１４の光軸Ｃ方向視の形状が円形から歪む。さらに、相対回転を続けると、図８（Ｃ）に示されるように、第１フード側突部２１の頂部が鏡筒側突部４５の頂部を通過して、鏡筒側突部４５の回転方向反対側の斜面を下る。これにより、接続部１４が弾性復帰して（即ち、変形する前の初期状態に戻って）前記歪みが解消されて光軸方向視円形に戻る。この第１フード側突部２１が鏡筒側突部４５を乗り越えることによる接続部１４の弾性変形及び弾性復帰によって、着脱トルクとクリック感とが生じる。
【００５２】
本実施形態の鏡筒側突部４５と第１フード側突部２１とは、光軸Ｃ方向の長さ寸法がバヨネット溝３８とこれに隣接する第１のリブ４０とを横断する大きさであるため、バヨネット溝内だけに着脱トルク及びクリック感を生じさせるための突部が設けられた従来のバヨネット構造に比べ、第１フード側突部２１が鏡筒側突部４５を乗り越えるときのこれら第１フード側突部２１と鏡筒側突部４５との光軸方向における接触面積が大きくなる。これにより、各突部２１、４５に加わる圧力（詳しくは、単位面積当たりの径方向押し付け力）が抑えられるため、各突部２１、４５の摩耗を抑制することができる。このため、本実施形態のレンズフード１０とレンズ鏡筒３０とでは、第１フード側突部２１と鏡筒側突部４５とのオーバーラップ量（図８（Ａ）におけるαの大きさ）を大きくして着脱トルクを大きくすると共にクリック感がより明確になるようにしても、各突部２１、４５の摩耗が抑えられる、即ち、各突部２１、４５が摩耗し難い。
【００５３】
このように、第１フード側突部２１が鏡筒側突部４５を周方向に乗り越えると、第１のバヨネット爪２０の進行方向側の端部がストッパー部２２に当接し、それ以上の相対回転が規制され、レンズ鏡筒３０へのレンズフード１０の取り付けが完了する（図２参照）。
【００５４】
一方、正装されたレンズフード１０をレンズ鏡筒３０から取り外すときには、取り付けるときと反対方向に相対回転させ、第１のリブ４０、４０間に第１のバヨネット爪２０が到達したときにレンズフード１０を光軸方向物体側に移動させることにより、レンズ鏡筒３０からレンズフード１０が取り外される。このときも、第１フード側突部２１が鏡筒側突部４５を周方向に乗り越えるときに、着脱トルクとクリック感とが生じる。
【００５５】
また、レンズ鏡筒３０にレンズフード１０を逆装する場合は、接続部１４を光軸Ｃ方向物体側に向けた状態で、第２のバヨネット爪２３が第２のリブ４２に当接するまで接続部１４内にレンズ鏡筒３０の物体側端部３４を差し込む。そして、バヨネット溝３８内に第２のバヨネット爪２３が進入するようにレンズフード１０とレンズ鏡筒３０とを光軸Ｃ周りに相対回転させ、第２フード側突部２４が鏡筒側突部４５を乗り越えることで、レンズ鏡筒３０へのレンズフード１０の逆装が完了する（図３参照）。
【００５６】
一方、レンズ鏡筒３０から逆装されたレンズフード１０を取り外すときには、正装のときと同様に、取り付けるときと反対方向にレンズフード１０とレンズ鏡筒３０とを光軸Ｃ周りに相対回転させ、第１のリブ４０、４０間に第２のバヨネット爪２３が到達したときにレンズフード１０を光軸Ｃ方向物体側に移動させることにより、レンズ鏡筒３０からレンズフード１０が取り外される。
【００５７】
以上のレンズフード１０とレンズ鏡筒３０との取付構造によれば、着脱トルクを生じさせる鏡筒側突部４５と第１フード側突部２１（又は第２フード側突部２４）との長さ寸法が、光軸Ｃ方向にバヨネット溝３８とこれに隣接する第１のリブ４０とを横断する大きさであるため、従来のようなバヨネット溝内にのみ設けられた突部（着脱トルクを生じさせる突部）に比べ、突部２１（又は２４）、４５同士の光軸Ｃ方向における接触面積を大きくすることができる。このため、各突部２１（又は２４）、４５の突出量を増やして着脱トルクを大きくしても当該突部２１（又は２４）、４５に加わる径方向押し付け力が抑えられ、これにより、突部２１（２４）、４５の摩耗を抑えることができる。
【００５８】
しかも、着脱トルクを大きくするために突部２１（２４）、４５の突出量を大きくすることによって、レンズ鏡筒３０へのレンズフード１０着脱時におけるクリック感をより明確にすることもできる。
【００５９】
尚、本発明のレンズ鏡筒とレンズ鏡筒用アクセサリとの取付構造、前記取付構造を備えたレンズ鏡筒、及び前記取付構造を備えたレンズ鏡筒用アクセサリは、上記実施形態に限定されるものではなく、本発明の要旨を逸脱しない範囲内において種々変更を加え得ることは勿論である。
【００６０】
レンズ鏡筒に取り付けられる部材は、レンズフードに限定されない。前記部材は、例えば、リングストロボ（マクロ用のリングライト）、コンバージョンレンズ、接写リング、ベローズ等のバヨネット構造によってレンズ鏡筒に取り付け可能なレンズ鏡筒用アクセサリ（レンズ鏡筒用付属品）であればよい。
【００６１】
レンズ鏡筒用アクセサリにおいて、接続部（レンズ鏡筒の物体側端部が嵌め込まれる部位）の位置は、像側端部（基部）に限定されない。接続部は、物体側端部（先端部）に設けられてもよく、光軸Ｃ方向の中間位置に設けられてもよい。
【００６２】
上記実施形態では、レンズ鏡筒にバヨネット溝（係合溝）が形成され、レンズフード（レンズ鏡筒用アクセサリ）にバヨネット溝に嵌るバヨネット爪（係合爪）が形成されているが、この構成に限定されない。即ち、レンズフード（レンズ鏡筒用アクセサリ）にバヨネット溝が形成され、レンズ鏡筒にバヨネット爪が形成されてもよい。
【００６３】
また、上記実施形態では、レンズ鏡筒３０の物体側端部（先端部）３４にバヨネット溝３８等の取付構造が設けられているが、像側端部（基端部、カメラボディ側端部）に前記取付構造が設けられていてもよい。
【００６４】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００６５】
１０   レンズフード（レンズ鏡筒用アクセサリ）
１４   接続部
１６   内周面
１８   バヨネット爪（係合爪）
２０   第１のバヨネット爪（係合爪）
２１   第１フード側突部（アクセサリ側突部）
２３   第２のバヨネット爪（係合爪）
２４   第２フード側突部（アクセサリ側突部）
３０   レンズ鏡筒
３４   鏡頭環（接続端部）
３６   外周面
３８   バヨネット溝（係合溝）
４０   第１のリブ（溝形成リブ）
４１   第１のリブの像側の側面（係合溝の物体側の側面）
４５   鏡筒側突部
Ｃ     光軸
【図２】
2014048435.tif 000003
【図３】
2014048435.tif 000004
【図４】
2014048435.tif 000005
【図５】
2014048435.tif 000006
【図６】
2014048435.tif 000007
【図７】
2014048435.tif 000008
【図８】
2014048435.tif 000009
【図９】
2014048435.tif 000010
【図１０】
2014048435.tif 000011
【図１】
2014048435.tif 000012